(57)【要約】【課題】個人が持つ髪形や容貌のコンプレックスを解消する事に於いて従来は情報の氾濫や専門家に対する距離感などから自分の要望に合った専門家を探す事や必要な情報を手に入れる事が困難な状況であった。本発明を利用する事により、サービス利用者の要望に合った専門家の情報が得られ、専門家との間での情報交換や予約確認を円滑に行えるようになるシステムを提供する。【解決手段】利用者はＷｅｂコンテンツ（ホームページ）上で自身で取り込んだ画像を画面上理想的に修正でき、又上記画像等を添付した相談の電子メールをＷｅｂコンテンツ（ホームページ）運営者に送信する手段と、Ｗｅｂコンテンツ運営者が受信した画像を要望に応じ画像処理し、サービス利用者の必要な情報、予約確認と共に返信する手段を有することを特徴とするシステムを設ける。【選択図】  図１
2004240929.tif 000002
【特許請求の範囲】
【請求項１】
モバイルインターネット及び通常のインターネットを通じてＷｅｂコンテンツ（ホームページ）上で利用者が画像処理機能やあらかじめ用意されたテンプレートを使用し、カメラ付きインターネット対応移動通信機器、撮影機能付き店舗設置型ゲーム機、デジタルカメラ等で撮影した画像の髪型や容貌の中から目元、鼻、口元及び歯に関して個人の持つ不満（コンプレックス）を感じている部分を自分の理想像に画面上修正出来る疑似体験機能を有し、上記画像を添付をした相談の電子メールの送信も行える手段と、電子メールで受けた相談に対してＷｅｂコンテンツ（ホームページ）運営者が要望に応じた画像処理を行い、事前に登録された専門家の中から最適な専門家を選び施術内容並び期間とそれに掛かる費用の見積もり等の情報を上記画像と共に利用者へ電子メールによって返信する手段を有する情報伝達システム。
【発明の詳細な説明】
【０００１】
【発明が属する技術分野】
本発明は、利用者がコンプレックスを解消する為の情報収集を速やかにする事や、利用者と専門家の間に於ける情報交換が円滑に行われるようにする為に、モバイルインターネットや通常のインターネットを通じ利用者個人の髪型及び容貌に関するコンプレックスを撮影した画像をＷｅｂコンテンツ（ホームページ）上で利用者が理想像に画面上修正できる疑似体験機能と、又は上記画像を添付した相談の電子メールをＷｅｂコンテンツ（ホームページ）運営者に送信し運営者が上記画像を要望に応じた画像処理を行い利用者に代わり最適な専門家を探し相談に対する返答と上記画像を電子メールで返信するシステムである。
【０００２】
【従来の技術】
従来は、専門家の元へ利用者が直接相談に行かなければならず、専門家を前に意思を伝える事が苦手な人は気軽に相談する事もためらわれ、常に自分の何処かにコンプレックスを抱え続ける人も少なくなかった。インターネットの検索機能を利用しても広告的なものが多く専門機関に関する情報も氾濫し、その中で最も自分の要望に適している所を選択する事や、事前に施術内容並び期間、費用等必要な情報を得る事も困難であった。
【０００３】
【発明が解決しようとする課題】
従来は、個人で専門家を探す事やその中でも自分に最適な専門家を選択する事が難しく専門外の所に行ってしまうことも多くあったと考えられる。些細なコンプレックス等の施術内容並び期間とそれに掛かる費用を事前に知る事も難しい為、気軽に専門家を訪れる事も出来なかった。本発明はこの課題を解消する事を目的とするものである。
【０００４】
【課題を解決する為の手段】
上記課題を解決する為、カメラ付きインターネット対応移動通信機器、撮影機能付き店舗設置型ゲーム機、デジタルカメラ等で個人の持つ髪型や容貌の中から目元、鼻、口元及び歯に関してのコンプレックスを感じている部分を撮影しモバイルインターネット及び通常のインターネットを通じて利用者自身が理想的に画像処理を行う擬似体験機能を有し、又は利用者が上記画像を添付した相談を電子メールでＷｅｂコンテンツ（ホームページ）運営者に送信する手段と、運営者が受信した電子メールに添付された画像を要望に応じた画像処理を行い相談に対して事前に登録された専門家の中から最適の専門家を選び施術内容並び期間とそれに掛かる費用の見積もり、現地までの案内等の情報や専門機関の仮予約を行い電子メールで返信する手段と、利用者が納得し希望すれば予約確定の電子メールが専門家へ届く手段を有する。
【０００５】
【発明の実施の形態】
以下、発明の実施の形態を説明する。
（イ）．サービス利用者は、まずカメラ付きインターネット対応移動通信機器、撮影機能付き店舗設置型ゲーム機、デジタルカメラ等で個人の持つ髪型や容貌の中から目元、鼻、口元及び歯に関してのコンプレックス感じる部分を撮影し、モバイルインターネットか通常のインターネットを通じＷｅｂコンテンツ（ホームページ）に接続する。
（ロ）．Ｗｅｂコンテンツ（ホームページ）上で髪型や容貌の中から目元、鼻、口元及び歯の撮影した画像を、用意されたテンプレートや画像処理機能を使用し利用者自身で理想的に画像処理する疑似体験が出来る。
（ハ）．元画像や自身で画像処理を行い理想的にした画像を添付し相談メッセージと共に電子メールで送信する。
（ニ）．Ｗｅｂコンテンツ（ホームページ）運営者が受け取った電子メールの画像を要望に応じた画像処理を行い最適の専門家を選び施術内容並び期間とそれに掛かる費用の見積もり等の情報、現地までの案内と共に専門家の仮予約を行い電子メールと共に返信する。
（ホ）．サービス利用者が  内容に納得し希望すれば予約確定の電子メールが専門家に届く。
【実施例】
以下、本発明の実施例を図面に基づき詳細に説明する。図は、サービス利用者１は、まずカメラ付きインターネット対応移動通信機器、撮影機能付店舗設置型ゲーム機、デジタルカメラ等で個人の持つ髪型や容貌の中から目元、鼻、口元及び歯に関してのコンプレックス感じる部分を撮影し、モバイルインターネットか通常のインターネット３に接続する。Ｗｅｂコンテンツ（ホームページ）上で、髪型や容貌の中から目元、鼻、口元及び歯の撮影した画像を利用者自身で画像処理機能やあらかじめ用意されたテンプレートを利用し自分の理想像に近づける疑似体験が出来る。又は元画像や自身で処理を行った画像を添付し相談メッセージを電子メールとして送信する。Ｗｅｂコンテンツ（ホームページ）運営者が送られてきた画像を要望に応じた画像処理を行い、最適の専門家２を選び施術内容並び期間とそれに掛かる費用の見積もり等の情報、現地までの案内と専門機関の仮予約を行い電子メールで返信する。サービス利用者が内容に納得し希望すれば予約確定の電子メールが専門家に届く。
【０００６】
【発明の効果】
本発明を利用する事によりサービス利用者が施術を受ける前に自分自身の要望を明らかにする事ができ、必要な情報が得られ、個人に合った専門家が簡単に見つかり、利用者と専門家との間の情報交換や予約が円滑に行える様になる。
【図面の簡単な説明】
【図１】サービス利用者がＷｅｂコンテンツ（ホームページ）を利用して画像処理による疑似体験ができ、又画像を添付した相談の電子メールをＷｅｂコンテンツ（ホームページ）運営者に送信すると、運営者が要望に応じた画像処理を行い、事前に登録された専門家の情報が得られると共に予約確認が出来る等のやり取りを示すフローチャートである。
【符号の説明】
１、  利用者
２、  専門家
３、  モバイルインターネット及び通常のインターネット
【図１】
2004240929.tif 000003